(57)【特許請求の範囲】
【請求項１】
四隅に丸みのあるＲ部コーナーを有する内照式看板の、Ｒ部コーナーを含む左右各端部分の間（同看板の中央部という。）の看板内には、Ｒ部コーナーを含む左右各端部分に隣接する位置に、所定の大きさに分割された平面状で、同左右の側辺部に端部を内方に向けて折曲し、その折曲面及び該折曲面に続く平面にＬＥＤ基板を列設した複数枚の光源パネルＢを配置し、それら左右の各光源パネルＢの間である中央位置に、所定の大きさに分割された平面状で、やはりＬＥＤ基板を列設した複数枚の光源パネルＡを配置して組み合わせ、全体で四方形になるようにして看板内に納め、看板のＲ部コーナーを含む左右各端部分に光源パネルを配置することなく、これら左右両端部分に、リフレクターと反射板のみを設けてなる看板内部照明装置としたことを特徴としたコーナー部に丸みを持たせた照明ムラのない大型内照式の看板。
【請求項２】
各光源パネルＡ・Ｂは、夫々パネル固定用レールによって縦方向に嵌合され、中央の光源パネルＡ列とその左右両側の各光源パネルＢ列としていて、それら光源パネルＡ列、各光源パネルＢ列とも、それらを嵌合するパネル固定用レールを案内にしてクレーンによって上方に引き上げることを可能とした請求項１に記載のコーナー部を丸みを持たせた照明ムラのない大型内照式の看板。                                                                      
【発明の詳細な説明】
【技術分野】
【０００１】
本発明は、道路標識等に代表される大型の内照式の看板に関するもので、隅部分の照度のムラを無くし、内部照明具の修理交換を容易にしたことに特徴を具備するものである。                                                                                      
【背景技術】
【０００２】
高速道路をはじめとして、各主要道路上には方向を指示するための標識看板が使用され、夜間でも確認できるように、内部に照明を設けた内照式看板が採用されている。また最近では、この光源の耐久性と節電のためＬＥＤを光源として採用する傾向にある。
【０００３】
また、このような標識看板が平板であれば何ら問題はないが、看板の角を落して丸く形成したり、側辺の角を落して曲面に形成する型式の看板が出現している。この場合、看板の隅部や側面は、照度が落ちて見にくいという難点があるばかりか、光源の球切れや光度落ち等の故障が生じる場合がある。                                                                
【特許文献１】特開２０００−２１５７０７号公報
【発明の開示】
【発明が解決しようとする課題】
【０００４】
このように隅部の角を落した丸い看板の場合、前記のように照度の点でもムラが出る難点があるが、メンテナンスの点でも高所に設置されていること、加えて大型である点について取扱いに極めて不便であった。                                                                
【課題を解決するための手段】
【０００５】
発明者らは、このような大型の内照式の看板の隅部や側辺部の照度を落すことなく均一な照度を得るために試作研究を繰返した結果本発明を完成させたものであって、本発明は、側辺部に細い幅の光源パネルを角度を設けて設置するようにした上、このパネルからの光を、反射シートを設けたＲ部コーナーを含む左右各端部分の直線部分に照射し、さらに四隅のＲ部分に対しても、この部分にさらに角度を変えた反射シートを用いてあって同じく照射されるようにすることにより、それら反射光を上面へ飛ばすようにして看板側辺の照度を保ち、ムラのない大型の内照式看板を得ることができた。
【０００６】
また、丸みのついた大型看板の中央部に光源パネルＡ・Ｂを設け、それら中央部の両側となる側辺部には照明パネルを配することのないようにしてメンテナンスの必要はなく、光源パネルＡ・Ｂは、縦方向に設けたレール（５），（５），……によって嵌合されているため、メンテナンスに際しては、大型看板の周辺に設けた外枠の中、中央部の上方の外枠を外して表れる光源パネルＡ・Ｂを、上方からクレーンによって吊り上げることが可能であって、メンテナンスの作業が容易となった。                                                      
【発明の効果】
【０００７】
上述のように、本発明の内照式看板は、内部の照明構造において、看板の側辺部分及び四隅の部分に反射シートを角度を設けて貼設すること、光源の照明板の幅を小さくし、角度を設けて設置することによって、大型看板の側辺部分及び四隅部分の照度を落すことなく、均一に照度を保つことに成功することができ、高速道路等において安心安全な走行が期待できる。                                                                                
【発明を実施するための最良の形態】
【０００８】
本発明を実施するための最良の形態を説明すると、本発明は、高出力のチップＬＥＤを光源とした大型の内照式看板における照度ムラを液晶パネルに使用されている反射シートをＬＥＤ光源側に設置して看板表面に印刷されているシートからの戻りを再度反射させることにより、ＬＥＤからの光を効率よく透過させることにある。
【０００９】
道路等に設置されているＬＥＤ光源採用の大型内照式看板は、保守性が容易なことが求められている。このため、看板上部からレールに嵌合させて光源パネルをワイヤーで引き上げる方法が採用されているが、看板のコーナー部を丸くした看板では、端部に光源を設置した場合には、上部へのパネルの引き上げが困難であり、光源の保守性が悪くなっていた。
【００１０】
本発明では、看板の中央部左右両側となるＲ部コーナーを含む左右端部分にはＬＥＤ光源を設置せず、反射シートを貼り付けたリフレクターと左右最端部の光源パネルとの角度、及び左右最端部の光源パネルにおけるＬＥＤ基板の間隔を調整することによって反射光を最大限に活用し、光源の無い部分の照度ムラを改善することに成功した。
後述する本発明の実施例では、それら左右端の中、リフレクターは、左右最端部の光源パネル面に対する角度は３１°で、四隅のコーナーには、Ｒ部に沿って前記リフレクターとは別にＲの内面には反射シートを貼り付けた反射板を入れる。
【００１１】
本発明の実施例では、ＬＥＤ光源採用大型内照式看板の光源パネルは５００ｍｍ×５００ｍｍの小パネルで構成される。これらの小パネルはできるだけ共通化させることが生産性やコストの点で優位となる。
【００１２】
本発明では、光源パネルを、上面のシートに光を照射する光源パネルＡと、光源を設置せず、リフレクターでの反射光を上面へ飛ばすようにするために光を照射する役割をも併用した光源パネルＢとの２種類のみで光源を形成できる。                                                  
【実施例】
【００１３】
添付図面により、本発明を実施するための最良の形態を説明すると、図１は、本発明の内照用看板の外観を示す正面図であって、一例として道路標識板を示している。図２は、図１の標識板の内部光源の光源パネルＡ、光源パネルＢの配置具合を示す正面図で、左右最端部、光源パネルＡ、光源パネルＢ夫々の全体配置関係を破線で示してある。図３は、図２のａ−ａ断面図であり、図４は、光源パネルＡ、光源パネルＢの配置具合を示す拡大正面図であって、作図上の都合で、左最端部の光源パネルＢと光源パネルＡとの関係を、各１枚ずつのみの関係だけで示してあり、図５は、同図４の底面図を示している。
【００１４】
光源パネルＡは、５００ｍｍ×５００ｍｍの正方形のパネルで形成されていて、図では詳記していないが、図３に概略示すコ字状のレール（５），（５）に嵌合、挟持されるようになっており、図１及び図２各正面図中に、輪郭を囲うように二本の平行線で示されている外枠の中、大型看板上側両端の各Ｒ部コーナーを除いた部分の上側枠を外した状態で、同看板の表面印刷板（７）背後の内部空間に上方から嵌入するもので、図面では、大型看板の中央部で、左右最端部の各縦一列に夫々光源パネルＢ，Ｂ，……が嵌入された後に、それら左最端部の縦一列３枚の光源パネルＢと右最端部の縦一列３枚の光源パネルＢとの間に残った空間部分に、図３に示してあるコ字状のレール（５），（５）に嵌合、挟持されるようにして、同じようにして縦一列３枚の光源パネルＡが次々と縦に嵌入されて構成される。
図中の（１），（１），……は、各光源パネルに多数配置されて光源となるチップＬＥＤを配列したＬＥＤ基板であり、この光源パネルＡの場合は、等間隔で５列設けてある。
【００１５】
又、光源パネルＢは、上記光源パネルＡと同じ大きさのパネルであるが、チップＬＥＤのＬＥＤ基板が全部で６枚で、このうち４枚までは等間隔で配置し、その外側となる５本目は、それらより少し狭く、最外側となる６本目は極端に狭く、しかも、図３に示すとおり、外側所定巾が下方に向けて傾斜するよう折曲した面に配するようにしてある。
そして、これら５本目と６本目とに配したＬＥＤ基板が、光源を設置してないリフレクター（３），（８）に投射して反射光を上面の表面印刷板（７）方向へ飛ばすようになるものである。
【００１６】
図６は、大型看板の左側上端のＲ部コーナー辺りの内部構造を示すために、表面印刷板（７）を撤去した状態の要部拡大正面図であって、特に標識板の内部構造を詳記する。
即ち、大型看板の中央部を除いた、同看板のＲ部コーナーを含む左右各端部分で、直線部分にリフレクター（３）、その上下又は左右に位置するＲ部コーナーにリフレクター（８）を設け、このＲ部コーナーを含む左右各端部分への光の反射、到達メカニズムを、図７に示してある、図６のｂ−ｂ断面図によって示している。
【００１７】
この発明に使用したチップＬＥＤは３２２８サイズのＩＦ×２００mＡ汎用疑似白色ＬＥＤである。
光源パネルＡでは、ＬＥＤ３２個搭載した１５×４８０ｍｍのＬＥＤ基板（１）５枚を１０２ｍｍの等間隔で配置してあり、光源パネルＢでは、６本のＬＥＤ基板で構成し、ＬＥＤ基板４本までは光源パネルＡと同等の配置とし、その外側の一本の間隔を７６ｍｍと狭くし、さらに最も外側の一本は、更に狭い間隔とした上、４８°に角度を設ける。                    
【産業上の利用可能性】
【００１８】
道路交通標識板に代表される内照式看板のメンテナンスを容易にし、しかも照度ムラを無くする点で本発明の利用度は高く、全国的に採用される可能性は大きい。                          
【図面の簡単な説明】
【００１９】
【図１】内照式看板の正面図
【図２】内照式看板の内部構成を付した正面図
【図３】図２ａ−ａ断面図
【図４】光源パネルＡ・Ｂの関係を示す拡大正面図
【図５】光源パネルＡ・Ｂの底面図
【図６】Ｒ部コーナーを含む左右各端部分で、Ｒ部コーナー周りの要部拡大正面図
【図７】図６ｂ−ｂ断面図
【符号の説明】
【００２０】
（１）…ＬＥＤ基板
（１−１）…最側辺のＬＥＤ基板
（２）…チップＬＥＤ
（３）…リフレクター
（５）…パネル固定用レール
（６）…ＬＥＤ電源
（７）…表面印刷板
（８）…反射板
（Ａ）  大型看板中央部の中、その左右最端部に配される両光源パネルＢの間に配される光源パネル
（Ｂ）  大型看板中央部の中、その左右最端部に夫々配される光源パネル
【図１】
0004942460.tif 000002
【図２】
0004942460.tif 000003
【図３】
0004942460.tif 000004
【図４】
0004942460.tif 000005
【図５】
0004942460.tif 000006
【図６】
0004942460.tif 000007
【図７】
0004942460.tif 000008